(57)【要約】【課題】地震発生時に照明装置と天井板や天井下地とが衝突するのを防止することができる照明装置の天井設置構造を提供する。【解決手段】照明装置１が天井１１の天井板１８に形成された開口１１ａに位置するように吊り下げ支持する伸縮自在な吊り支持部２と、上記照明装置１を上記開口１１ａよりも上に引上げるバネ３と、上記バネ３の引上げ動作を制止しておく制止部および一定以上の揺れが生じた場合に上記制止部による制止を解除する解除動作部を備えた駆動装置４と、を備えた。また、上記バネ３によって上記照明装置１が引き上げられた状態を維持する維持部６を備えた。【選択図】図１
2014127320.tif 000002
【特許請求の範囲】
【請求項１】
天井の裏側に照明装置が位置する照明装置の天井設置構造において、上記照明装置が上記天井の天井板に形成された開口内に位置するように吊り下げ支持するとともに上記照明装置が上記開口よりも上に上昇するのを可能とする伸縮自在な吊り支持部と、上記照明装置を上記開口よりも上に引上げる引上げ部と、上記引上げ部の引上げ動作を制止しておく制止部と、一定以上の揺れが生じた場合に上記制止部による制止を解除する解除動作部と、を備えたことを特徴とする照明装置の天井設置構造。
【請求項２】
請求項１に記載の照明装置の天井設置構造において、上記引上げ部によって上記照明装置が引き上げられた状態を維持する維持部を有することを特徴とする照明装置の天井設置構造。
【請求項３】
天井の裏側に照明装置が位置する照明装置の天井設置構造において、上記照明装置を上記天井の天井板に形成された開口の上方に位置するように設けたことを特徴とする照明装置の天井設置構造。
【請求項４】
請求項３に記載の照明装置の天井設置構造において、上記照明装置を上記開口の縁に直接または部材を介して固定するとともに、一定以上の引っ張り力を受けた場合に上記照明装置を上記縁または上記部材から離脱させる離脱容易固定部を有することを特徴とする照明装置の天井設置構造。
【請求項５】
請求項１〜請求項４のいずれか１項に記載の照明装置の天井設置構造において、上記照明装置と上記天井の開口の縁との間に見切り材が介在し、上記見切り材によって上記照明装置の揺れが減少されることを特徴とする照明装置の天井設置構造。
【請求項６】
天井の裏側に照明装置が位置する照明装置の天井設置構造において、上記天井の天井板に形成された開口に、周囲側が昇り勾配となる面部が設けられており、上記照明装置はその下面周囲側が上記面部に接するように設けられていることを特徴とする照明装置の天井設置構造。
【請求項７】
天井の裏側に照明装置が位置する照明装置の天井設置構造において、上記照明装置が上記天井の天井板に形成された開口内に位置するように吊り下げ支持するとともに上記照明装置が上記開口よりも下に降下するのを可能とする伸縮自在な吊り支持部と、上記照明装置の降下を制止しておく制止部と、一定以上の揺れが生じた場合に上記制止部による制止を解除する解除動作部と、を備えたことを特徴とする照明装置の天井設置構造。
【発明の詳細な説明】
【技術分野】
【０００１】
この発明は、天井の裏側に照明装置が位置する照明装置の天井設置構造に関する。
【背景技術】
【０００２】
図１３は吊り天井１０１の裏側（懐）に照明装置１１０を設置する従来の設置構造を示した説明図である。上記吊り天井１０１においては、建物の躯体１０２から吊り下げられた吊りボルト１０３の下端部にハンガー１０４が固定されており、このハンガー１０４に野縁受け１０５が支持される。そして、上記野縁受け１０５にはクリップ１０６によって野縁１０７が固定されており、この野縁１０７に天井板１０８が支持されている。例えば、上記吊り天井１０１はライン状に複数配置された上記照明装置１１０によって分断される場合がある。
【０００３】
上記照明装置１１０は、上記躯体１０２から吊り下げられた吊りボルト１０３に固定されている。そして、上記照明装置１１０は、光照射側となる下面部を、上記天井板１０８に形成された開口１０１ａに位置させている。なお、上記照明装置１１０は、上記吊り天井１０１を吊る上記吊りボルト１０３間に横架された部材から吊り下げられることもある。
【０００４】
また、特許文献１には、照明器具が地震などで落下するのを防止できる天井埋込型照明器具が開示されている。
【先行技術文献】
【特許文献】
【０００５】
【特許文献１】特開平０９−１０２２１４号公報
【発明の概要】
【発明が解決しようとする課題】
【０００６】
しかしながら、上記従来の照明装置の天井設置構造では、図１４に示しているように、地震発生時に上記天井１０１と上記照明装置１１０との間に揺れの位相ずれが生じるなどして、上記天井板１０８と上記照明装置１１０とが激しく衝突し合い、上記天井１０１および上記照明装置１１０の破壊や落下が起きる場合があった。
【０００７】
また、上記特許文献１の技術では、照明装置の落下を防止できるものの、上記天井板と照明装置とが激しく衝突し合うのを防止できるものではなかった。
【０００８】
この発明は、上記の事情に鑑み、地震発生時に照明装置と天井板とが衝突するのを防止することができる照明装置の天井設置構造を提供することを課題とする。
【課題を解決するための手段】
【０００９】
この発明の照明装置の天井設置構造は、上記の課題を解決するために、上記照明装置が上記天井の天井板に形成された開口内に位置するように吊り下げ支持するとともに上記照明装置が上記開口よりも上に上昇するのを可能とする伸縮自在な吊り支持部と、上記照明装置を上記開口よりも上に引上げる引上げ部と、上記引上げ部の引上げ動作を制止しておく制止部と、一定以上の揺れが生じた場合に上記制止部による制止を解除する解除動作部と、を備えたことを特徴とする。
【００１０】
上記の構成であれば、一定以上の揺れが生じた場合には、上記制止部による制止が解除され、上記照明装置が上記引上げ部によって上記開口よりも上に引上げられる。よって、地震発生時に上記天井と上記照明装置との間に揺れの位相ずれが生じるなどした場合でも、上記照明装置と上記天井板とが衝突するのを防止することができる。
【００１１】
上記引上げ部によって上記照明装置が引き上げられた状態を維持する維持部を有していてもよい。これによれば、上記引上げ部がバネ等からなる場合において、上記照明装置が引き上げられた後に当該照明装置が上下に振動を繰り返すのを防止することができる。
【００１２】
また、この発明の照明装置の天井設置構造は、天井の裏側に照明装置が位置する照明装置の天井設置構造において、上記照明装置を上記天井の天井板に形成された開口の上方に位置するように設けたことを特徴とする。このような構成であれば、地震発生時に上記天井と上記照明装置との間に揺れの位相ずれが生じるなどした場合でも、上記照明装置は上記天井板に形成された開口の上方に位置するので、上記照明装置と上記天井板とが衝突するのを防止することができる。
【００１３】
上記照明装置の天井設置構造において、上記照明装置を上記開口の縁に直接または部材を介して固定するとともに、一定以上の引っ張り力を受けた場合に上記照明装置を上記縁または上記部材から離脱させる離脱容易固定部を有してもよい。これによれば、多少の揺れが生じても上記照明装置を揺れさせないで上記天井側に固定しておくことができる一方、一定以上の引っ張り力を生じさせるような大きな揺れが生じた場合には、上記照明装置は上記天井から独立して揺れ、また、この揺れにおいて上記照明装置が天井板と衝突するのを防止することができる。
【００１４】
上記照明装置と上記天井の開口の縁との間に見切り材が介在し、上記見切り材によって上記照明装置の揺れが減少されるようにしてもよい。
【００１５】
また、この発明の照明装置の天井設置構造は、天井の裏側に照明装置が位置する照明装置の天井設置構造において、上記天井の天井板に形成された開口に、周囲側が昇り勾配となる面部が設けられており、上記照明装置はその下面周囲側が上記面部に接するように設けられていることを特徴とする。このような構成であれば、地震発生時に上記天井と上記照明装置との間に揺れの位相ずれが生じるなどした場合でも、上記照明装置はその下面周囲側が上記面部に接するので、上記照明装置は上方に逃げる。よって、地震発生時に上記照明装置と天井板とが衝突するのを防止することができる。
【００１６】
また、この発明の照明装置の天井設置構造は、天井の裏側に照明装置が位置する照明装置の天井設置構造において、上記照明装置が上記天井の天井板に形成された開口内に位置するように吊り下げ支持するとともに上記照明装置が上記開口よりも下に降下するのを可能とする伸縮自在な吊り支持部と、上記照明装置の降下を制止しておく制止部と、一定以上の揺れが生じた場合に上記制止部による制止を解除する解除動作部と、を備えたことを特徴とする。このような構成であれば、一定以上の揺れが生じた場合には、上記制止部による制止が解除され、上記照明装置が上記開口よりも下に降下する。よって、地震発生時に上記天井と上記照明装置との間に揺れの位相ずれが生じるなどした場合でも、上記照明装置と上記天井板とが衝突するのを防止することができる。
【発明の効果】
【００１７】
本発明であれば、地震発生時に照明装置と天井板とが衝突するのを防止することができるという効果を奏する。
【図面の簡単な説明】
【００１８】
【図１】この発明の実施形態の照明装置の天井設置構造を示した説明図である。
【図２】図１の設置構造における引上げ機構を示した説明図である。
【図３】図１の設置構造における地震発生時の状態を示した説明図である。
【図４】図２の引上げ機構の地震発生時の状態を示した説明図である。
【図５】この発明の他の実施形態の照明装置の天井設置構造を示した説明図である。
【図６】この発明の他の実施形態の照明装置の天井設置構造を示した説明図である。
【図７】この発明の他の実施形態の照明装置の天井設置構造を示した説明図である。
【図８】図７の設置構造で用いた保持機構を示した図であって、同図（Ａ）は上記保持機構の縦断面図であり、同図（Ｂ）は上記保持機構のＡ−Ａ断面図である。
【図９】この発明の他の実施形態の照明装置の天井設置構造を示した説明図である。
【図１０】図９の設置構造における降下機構を示した説明図である。
【図１１】図９の設置構造における地震発生時の状態を示した説明図である。
【図１２】図１１の降下機構の地震発生時の状態を示した説明図である。
【図１３】従来の照明装置の天井設置構造を示した説明図である。
【図１４】図１３の設置構造における地震発生時の状態を示した説明図である。
【発明を実施するための形態】
【００１９】
以下、この発明の実施の形態を添付図面に基づいて説明する。
図１に示す実施形態では、吊り天井１１の裏側（懐）に照明装置１が設置されている。上記吊り天井１１においては、建物の躯体１２から吊り下げられた吊りボルト１３の下端部にハンガー１４が固定されており、このハンガー１４に野縁受け１５が支持される。そして、上記野縁受け１５にはクリップ１６によって野縁１７が取り付けられており、この野縁１７に天井板１８が支持されている。さらに、上記吊り天井１１においては、上記天井板１８に形成された開口１１ａの上を跨ぐように補強野縁１７Ａが設けられている。この補強野縁１７Ａは、上記照明装置１の引上げを考慮して高く組まれている。また、例えば、上記吊り天井１１はライン状に複数配置された上記照明装置１によって分断されている。
【００２０】
上記照明装置１は、上記躯体１２から吊り下げられた伸縮自在な吊り支持部２によって、光照射側である下面側が上記開口１１ａ内に位置するように吊り下げられている。上記吊り支持部２は、例えば、上記照明装置１の短辺方向に２本、長辺方向に２本或いはそれ以上の本数が設けられている。なお、上記照明装置１は、上記吊り天井１１を吊る上記吊りボルト１３間に横架された部材から上記吊り支持部２によって吊り下げることもできる。
【００２１】
上記吊り支持部２は、例えば、図２にも示しているように、上側に位置する筒状の第１支持部２ａ内に下側の第２支持部２ｂが収容された構造を有しており、上記照明装置１を上記開口１１ａよりも上に上昇させることができる。上記第２支持部２ｂの上端には鍔部が形成されており、上記第１支持部２ａの下端には上記鍔部に当たる係止部が設けられている。上記２本の支持部２ａ，２ｂは、円形でもよいし角形でもよい。
【００２２】
上記照明装置１の上部には、当該照明装置１を上記開口１１ａよりも上に引上げるバネ（引上げ部）３の下端が連結されており、上記バネ３の上端は上記躯体１２に連結されている。上記バネ３は各照明装置１に１つまたは複数設けられる。上記バネ３は伸張状態に設けられており、この伸張状態により生じる引っ張り力によって上記照明装置１を引き上げる力を保持している。なお、この例では、上記照明装置１を天井下地（野縁１７、野縁受け１５、或いはハンガー１４）よりも上に引上げるようにしている。
【００２３】
上記吊り支持部２における上記第１支持部２ａの下側位置には例えば電磁ソレノイドからなる駆動装置４が設けられている。この駆動装置４は上記バネ３による上記照明装置１の上昇を制止する制止部４ａを有している。上記制止部４ａは上記第２支持部２ｂの上端に接するように配置されている。また、上記駆動装置４は解除動作部４ｂを有する。この解除動作部４ｂは、一定以上の揺れが生じた場合に上記制止部４ａによる制止を解除する。例えば、上記解除動作部４ｂは地震センサとしての加速度センサを備えており、一定以上の揺れを検知した場合に電磁ソレノイドに通電を行って上記制止部４ａを引き込む動作を実行する。この動作により、上記第２支持部２ｂの上昇に対する規制が無くなり、上記照明装置１が上記バネ３の引っ張り力により上昇する。
【００２４】
すなわち、図３および図４に示しているように、一定以上の揺れが生じた場合に上記解除動作部４ｂの動作により上記制止部４ａによる制止が解除され、上記照明装置１が上記バネ３の引っ張り力により上記開口１１ａよりも上に引上げられる。よって、地震発生時に上記天井１１と上記照明装置１との間に揺れの位相ずれが生じるなどした場合でも、上記照明装置１と天井板１８とが衝突するのを防止することができる。
【００２５】
なお、上記照明装置１の横側には上記補強野縁１７Ａが存在しているが、この補強野縁１７Ａと上記照明装置１とのクリアランスは、上記開口１１ａの縁と上記照明装置１とのクリアランスよりも広くすることができ、上記補強野縁１７Ａと上記照明装置１との衝突を回避し易い。また、上記照明装置１が上記バネ３により引上げられると、上記筒状の第１支持部２ａ内に上記第２支持部２ｂが収容されて上記吊り支持部２の長さが短くなり、この吊り支持部２の強度が向上する。さらに、上記吊り支持部２の長さが短くなると、上記照明装置１の揺れ幅を小さくすることができる。
【００２６】
上記地震センサを上記駆動装置４が備えるのではなく、別の箇所に設けられた地震センサの信号或いは地震報知センターに設けられている地震センサの信号等を上記駆動装置４が受信するようにしてもよい。また、上記駆動装置４が個別に動作するのではなく、ライン全体、フロア全体、或いは建物全体で駆動装置４が一斉に動作し、ライン全体、フロア全体、或いは建物全体で複数の照明装置１が一斉に引上げられるようにしてもよい。
【００２７】
上記設置構造では、上記照明装置１と上記第１支持部２ａとを繋いで上記照明装置１の落下を防止する落下防止具５を備えている。この落下防止具５は、例えば、上記第１支持部２ａの側面から突出するフック部５１と、上記照明装置１の裏面に螺着されたリングボルト５３と、上記突出部５１と上記リングボルト５３とを繋ぐワイヤ５２とからなる。上記落下防止具５を備えると、上記照明装置１が上記第２支持部２ｂから外れたときでも、上記照明装置１の落下を防止することができる。なお、上記フック部５１を上記天井下地に連結することも考えられる。また、上記落下防止具５は複数設けてもよい。
【００２８】
また、上記設置構造では、上記バネ３によって上記照明装置１が引き上げられた状態を維持する維持部６を上記第１支持部２ａに設けている。この維持部６は、上記バネ３によって上記照明装置が引き上げられたときの上記第２支持部２ｂの上端位置よりも下側に位置するストッパー６ａを備える。このストッパー６ａはバネ６ｂによって筒内側へと付勢されている。また、上記ストッパー６ａは上昇する上記第２支持部２ｂの移動を妨げないように下側にテーパー部を有するとともに、上側には上記第２支持部２ｂの鍔部の下面を受けるための受け部を有する。上記維持部６を備えると、上記照明装置１が引き上げられた後に当該照明装置１が上下に振動を繰り返すのを防止することができる。
【００２９】
また、上記設置構造では、上記照明装置１の下面周囲箇所に、見切り材７を設けている。この見切り材７によって、上記照明装置１の下面周囲箇所から上記開口１１ａの縁にかけての隙間が隠され、見栄えを良くしている。また、上記設置構造では、上記見切り材７はヒンジによって回動可能に設けられており、上記照明装置１が上昇するときの妨げにならないようになっている。さらに、上記見切り材７にはバネが設けられており、このバネは平常状態において上記見切り材７を天井板１８側に押さえつけている。上記見切り材７は上記照明装置１の長辺方向に限らず短辺方向にも設けてもよい。なお、上記照明装置が上昇した状態でも上記見切り材７が上記開口１１ａの縁に接するように上記見切り材７を長く形成してもよい。これであれば、地震発生時に上記天井１１と上記照明装置１との間に揺れの位相ずれが生じた場合に、上記見切り材７および上記バネが上記照明装置１の揺れを小さくするように緩衝的に作用することができる。また、上記見切り材７を弾性素材で形成することで上記ヒンジやバネを不要にすることもできる。
【００３０】
上記引上げ部は上記バネ３に限らない。上記引上げ部として、例えば電源コードを巻き取る巻取りドラムを利用した機構でワイヤを巻き取る機構を採用できる。上記ワイヤの先端は上記照明装置１に連結される。この場合、上記制止部４ａは、上記巻取りドラムで用いられるラチェット機構およびこのラチェット機構による係止状態を解除するスイッチにより構成することができる。また、上記解除動作部４ｂは、電磁ソレノイドの動作によって上記スイッチを操作するように構成することができる。
【００３１】
図５は、他の実施形態の照明装置の天井設置構造を示した説明図である。この設置構造においては、上記天井１１の天井板１８に形成された開口１１ａの上方に上記照明装置１が位置するように、上記吊りボルト１３によって躯体１２から上記照明装置１を吊り下げている。なお、上記照明装置１は、上記天井１１を吊る上記吊りボルト１３間に横架された部材から吊り下げることもできる。以下の他の実施形態でも同様である。この例では、上記照明装置１は上記野縁１７よりも上方に位置しているが、上記天井板１８よりも上または上記野縁受け１５よりも上に位置させてもよい。また、この例では、上記開口１１ａの周囲に化粧枠１１ｂを配置しており、上記照明装置１を上記野縁１７よりも上方に位置させながら上記照明装置１と上記開口１１ａとの間に隙間が出来にくいようにしている。なお、隙間を隠すように、上記照明装置１の下面周囲に見切り材を垂下させておいてもよい。また、上記化粧枠１１ｂは上記照明装置１の反射板の傾斜面に沿う傾斜形状を有すると、上記照明装置１からの光を遮らずに照明効率を上げることができる。
【００３２】
このような構成であれば、地震発生時に上記天井１１と上記照明装置１との間に揺れの位相ずれが生じるなどした場合でも、上記天井１１の天井板１８に形成された開口１１ａの上方に上記照明装置１が位置しているので、上記照明装置１と天井板１８とが衝突するのを防止することができる。
【００３３】
上記照明装置１の下面周囲に配置される上記見切り材を単なる垂下ではなく、バネで姿勢維持させるようにしておけば、平常時における上記照明装置１の揺れ防止が行えるとともに、地震発生時に上記天井１１と上記照明装置１との間に揺れの位相ずれが生じた場合に、上記見切り材７および上記バネが上記照明装置１の揺れを小さくするように緩衝的に作用することができる。また、上記見切り材７を弾性素材で形成することで上記ヒンジやバネを不要にしつつ上記照明装置１の揺れを小さくすることができる。
【００３４】
図６は、他の実施形態の照明装置の天井設置構造を示した説明図である。この設置構造は、図５に示した設置構造と同様の構造を有するが、上記化粧枠１１ｂと上記照明装置１の下面周囲部との間に離脱容易固定部１１ｃを備えている。この離脱容易固定部１１ｃは、一定以上の引っ張り力を受けた場合に上記照明装置１を上記化粧枠１１ｂから離脱させる。上記離脱容易固定部１１ｃは上記化粧枠１１ｂの開口形状に対応した枠形状を有した１対の枠部材からなっている。例えば、上記照明装置１の側に取り付けられた枠部材は鉄などの磁性体からなり、上記化粧枠１１ｂの側に取り付けられた枠部材は全体が磁石または部分が磁石とされている。なお、上記化粧枠１１ｂを設けずに、上記照明装置１を上記天井板１８の上記開口１１ａの縁裏に上記離脱容易固定部１１ｃを介して離脱容易に固定するようにしてもよい。
【００３５】
上記離脱容易固定部１１ｃを有する構成であれば、多少の揺れが生じても上記照明装置１を揺れさせないで固定させておくことができる。一方、大きな揺れが生じた場合には、上記照明装置１は天井１１から独立した存在として揺れ、また、この揺れにおいて上記照明装置１が天井板１８などと衝突するのを防止できる。なお、
この構造においても、上述したように見切り材を設けることで上記照明装置１の地震時の揺れを小さくすることができる。
【００３６】
図７は、他の実施形態の照明装置の天井設置構造を示した説明図である。この設置構造においては、上記天井１１の天井板１８に形成された開口１１ａに、化粧枠を兼ねるテーパー部材９が設けられている。このテーパー部材９の内側には周囲側が昇り勾配となるすり鉢状（円形状に限らない）のテーパー部（面部）９ａが形成されている。上記テーパー部材９は上記天井板１８或いは上記天井下地に固定されている。なお、テーパー部（面部）９ａは直線的な面に限らず曲面状に周囲側が昇り勾配となるものでもよい。
【００３７】
上記照明装置１はその下面周囲側が上記テーパー部９ａに接するように設けられている。なお、上記照明装置１の下面が上記テーパー部材９の下面よりも下に出して室内からの天井見栄えを良くするようにしてもよい。
【００３８】
上記照明装置１を支持する吊りボルト１３には保持機構８を介して吊りボルト１３Ａが設けられており、この吊りボルト１３Ａに上記照明装置１が固定されている。図８（Ａ）および図８（Ｂ）は上記吊りボルト１３Ａの上端部及び保持機構８を示した図である。上記吊りボルト１３Ａの上端部には周状凹箇所と周状凸箇所が一定間隔で交互に形成されている。上記保持機構８は、略円筒形状のチャック枠部８１と、全体で略円筒形を成す３つの分割噛み込み部材８２と、これら３つの分割噛み込み部材８２を図の矢印方向に付勢するばね８３とから成る。各分割噛み込み部材８２の先端内側には、上記吊りボルト１３Ａの周状凹箇所及び周状凸箇所に対応する凸箇所及び凹箇所が形成されている。上記チャック枠部８１の先端内側にはテーパー部が形成されており、３つの分割噛み込み部材８２の先端外側にも上記テーパー部に当接するテーパー部が形成されている。そして、３つの分割噛み込み部材８１が吊りボルト１３Ａを噛み込んだ状態で分割噛み込み部材８２の外面とチャック枠部８１の内面との間で隙間が確保される構造になっている。３つの分割噛み込み部材８２が上記ばね８３の付勢に抗して動くと、上記テーパー部の作用にて分割噛み込み部材８２は上記隙間を利用して互いに離間する一方、３つの分割噛み込み部材８２が上記ばね８３の付勢方向に動くときには、このばね８３とテーパー部の作用にて分割噛み込み部材８２が互いに接近して締まり、吊りボルト１３Ａをしっかりと固定することになる。
【００３９】
上記構成であれば、地震発生時に上記天井１１と上記照明装置１との間に揺れの位相ずれが生じるなどした場合でも、上記照明装置１はその下面周囲側が上記テーパー部９ａに接するので、上記照明装置１は上方に逃げる。よって、地震発生時に上記照明装置１と天井板１８とが衝突するのを防止することができる。
【００４０】
また、上記照明装置１は上方に逃げるとき、上記保持機構８によって上記逃げが吸収されると同時にこの逃げ状態が保持され、上記照明装置１は上がった位置で留まることになる。なお、ラチェット機構などによって上記保持機構８を構成することもできる。また、例えば専用の治具で上記チャック枠部８１を広げて上記照明装置１を元の位置に戻すこともできる。
【００４１】
図９は、他の実施形態の照明装置の天井設置構造を示した説明図である。この設置構造においては、上記照明装置１は、上記躯体１２から吊り下げられた伸縮自在な吊り支持部２１によって、光照射側である下面側が上記開口１１ａに位置するように吊り下げられている。上記吊り支持部２１は、例えば、上記照明装置１の短辺方向中央に１本、長辺方向に２本或いはそれ以上の本数が設けられている。
【００４２】
上記吊り支持部２１は、例えば、図１０にも示しているように、上側に位置する筒状の第１支持部２１ａ内に下側の第２支持部２１ｂが収容された構造を有する。上記第２支持部２１ｂの上端には鍔部が形成されており、上記第１支持部２１ａの下端には上記鍔部に当たる係止部が設けられている。上記第２支持部２１ｂは上記照明装置１の高さよりも長い距離が第１支持部２１ａ内に収容されている。
【００４３】
上記吊り支持部２１における上記第１支持部２１ａには例えば電磁ソレノイドからなる駆動装置４１が設けられている。この駆動装置４１は上記照明装置１の降下を制止する制止部４１ａを有している。上記制止部４１ａは上記第２支持部２１ｂの上端の鍔部の下面に接するように配置されている。また、上記駆動装置４１は解除動作部４１ｂを有する。この解除動作部４１ｂは、一定以上の揺れが生じた場合に上記制止部４１ａによる制止を解除する。例えば、上記解除動作部４１ｂは地震センサとしての加速度センサを備えており、一定以上の揺れを検知した場合に電磁ソレノイドに通電を行って上記制止部４１ａを引き込む動作を実行する。この動作により、上記第２支持部２１ｂの降下に対する規制が無くなり、上記照明装置１が上記照明装置１の高さ距離よりも長い距離降下する。
【００４４】
上記の構成であれば、図１１および図１２に示しているように、一定以上の揺れが生じた場合に上記解除動作部４１ｂの動作により上記制止部４１ａによる制止が解除され、上記照明装置１が上記照明装置１の高さ距離よりも長い距離降下する。よって、地震発生時に上記天井１１と上記照明装置１との間に揺れの位相ずれが生じるなどした場合でも、上記照明装置１と天井板１８とが衝突するのを防止することができる。
【００４５】
上記地震センサを上記駆動装置４１が備えるのではなく、別の箇所に設けられた地震センサの信号或いは地震報知センターに設けられている地震センサの信号等を上記駆動装置４１が受信するようにしてもよい。また、上記駆動装置４１が個別に動作するのではなく、ライン全体、フロア全体、或いは建物全体で駆動装置４が一斉に動作し、ライン全体、フロア全体、或いは建物全体で複数の照明装置１が一斉に引上げられるようにしてもよい。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１      照明装置
２      吊り支持部
２１    吊り支持部
３      バネ（引上げ部）
４      駆動装置
４ａ    制止部
４ｂ    解除動作部
４１    駆動装置
４１ａ  制止部
４１ｂ  解除動作部
５      落下防止具
６      維持部
７      見切り材
８      保持機構
９      テーパー部材
９ａ    テーパー部
１１    天井
１１ａ  開口
１１ｂ  化粧枠（部材）
１１ｃ  離脱容易固定部
１２    躯体
１３    吊りボルト
１７    野縁
１８    天井板
【図１】
2014127320.tif 000003
【図２】
2014127320.tif 000004
【図３】
2014127320.tif 000005
【図４】
2014127320.tif 000006
【図５】
2014127320.tif 000007
【図６】
2014127320.tif 000008
【図７】
2014127320.tif 000009
【図８】
2014127320.tif 000010
【図９】
2014127320.tif 000011
【図１０】
2014127320.tif 000012
【図１１】
2014127320.tif 000013
【図１２】
2014127320.tif 000014
【図１３】
2014127320.tif 000015
【図１４】
2014127320.tif 000016